【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
取水口から送水口へ連通して洗浄水を通流させる主流路と、前記主流路の開閉を行う差圧移動式のピストンバルブと、一端が前記ピストンバルブの移動空間となるシリンダ室の外壁に開口形成された第１開口孔を介して前記シリンダ室と連通すると共に他端が前記主流路の前記ピストンバルブが配設される位置よりも下流側となる位置に開口形成された第２開口孔を介して前記主流路と連通する副流路と、前記副流路を開閉する副電磁弁と、が設けられた本体部、ならびに、使用者を感知するセンサおよび前記センサの感知信号により前記副電磁弁の駆動を行う駆動制御部、を壁内もしくは壁近傍部に備えて、前記副電磁弁の駆動により前記副流路が開通することで前記シリンダ室内が減圧されて前記ピストンバルブが移動して前記主流路が開通することによって前記洗浄水が通流して便器の自動洗浄を行う自動洗浄装置の改装方法であって、
前記センサおよび前記駆動制御部を取外す工程と、
前記本体部から前記シリンダ室の開口端部を密閉している密閉蓋を取外した後、前記シリンダ室から前記ピストンバルブを取外す工程と、
前記本体部から前記副流路の全部もしくは一部および前記副電磁弁を取外して、前記第２開口孔を露出させる工程と、
前記第２開口孔に止水プラグを取付けて、前記第２開口孔の封止を行う工程と、
固定用プレートを前記本体部に固定する工程と、
前記主流路の開閉を行う主電磁弁を前記シリンダ室に挿入して、前記主電磁弁を前記固定用プレートに固定する工程と、
前記主電磁弁によって、または、前記主電磁弁および封止部材によって、前記シリンダ室の開口端部および前記第１開口孔を封止する工程と、を備え、
前記主流路の開閉を行う機構を、前記差圧移動式のピストンバルブから前記主電磁弁に切替えること
を特徴とする自動洗浄装置の改装方法。
【請求項２】
前記固定用プレートを前記本体部に固定する工程は、
前記密閉蓋の螺合用として前記シリンダ室の内壁に設けられる雌ネジ部に対して螺合可能な雄ネジ部を外周に有する円筒状であって且つ第１端部に径方向外方に突設される鍔状部を有する固定リングを用い、
前記固定リングの第２端部側を前記固定用プレートに開口形成された挿通孔に挿通した状態で、前記固定リングを前記シリンダ室の内壁に螺合させて固定することにより、前記鍔状部と前記シリンダ室の開口端部とで前記固定用プレートを挟み込んで固定する工程であること
を特徴とする請求項１記載の自動洗浄装置の改装方法。
【請求項３】
前記固定用プレートを前記本体部に固定する工程は、
前記シリンダ室の外壁に突設されて外周にネジ部を有し、中心に前記第１開口孔が形成された突起部に対して、前記固定用プレートを外嵌した状態でナットを締め込むことにより、前記固定用プレートを前記シリンダ室の外壁に固定する工程であること
を特徴とする請求項１記載の自動洗浄装置の改装方法。
【請求項４】
前記固定用プレートを前記本体部に固定する工程は、
一端に鉤状部を有する前記固定用プレートを、前記鉤状部を前記本体部の外周部に係止させた状態で他端を前記副電磁弁の固定用のネジ孔に直接もしくは中間部材を介してネジ留めすることにより固定する工程であること
を特徴とする請求項１記載の自動洗浄装置の改装方法。
【請求項５】
前記本体部、前記センサおよび前記駆動制御部が壁内に設置される構造の場合において、前記センサおよび前記駆動制御部を着脱可能に取付けるために壁面に固定された枠部材に対して、
一端が前記シリンダ室に挿入された状態の前記主電磁弁の他端が壁面から壁外へ突出する寸法よりも同方向の寸法が大きく形成されると共に壁面側に係合部が設けられた延長枠部材を、前記係合部を前記枠部材の内周における左右もしくは上下の両側部分に対して壁内から壁外に向かう方向に接するように係合させて、前記枠部材に固定する工程と、
使用者を感知して前記主電磁弁の駆動を行う第２駆動制御部へ駆動信号を送信する第２センサが取付けられている前面プレートを、前記延長枠部材に固定する工程と、を備えること
を特徴とする請求項１〜４のいずれか一項に記載の自動洗浄装置の改装方法。
【請求項６】
前記本体部、前記センサおよび前記駆動制御部が壁内に設置される構造の場合において、前記センサおよび前記駆動制御部を着脱可能に取付けるために壁面に固定された枠部材に対して、
一端が前記シリンダ室に挿入された状態の前記主電磁弁の他端が壁面から壁外へ突出する寸法よりも同方向の寸法が大きく形成されたドーム部が正面視において前記主電磁弁と対応する位置に設けられていると共に、使用者を感知して前記主電磁弁の駆動を行う第２駆動制御部へ駆動信号を送信する第２センサが取付けられている前面プレートを、前記枠部材に固定する工程を備えること
を特徴とする請求項１〜４のいずれか一項に記載の自動洗浄装置の改装方法。
【請求項７】
請求項２記載の自動洗浄装置の改装方法に用いられる前記固定用プレートであって、
中央部に前記挿通孔を有し、
前記挿通孔を挟み込む配置で、前記シリンダ室に挿入された状態の前記主電磁弁を固定する固定孔もしくは固定ネジを有すること
を特徴とする固定用プレート。
【請求項８】
前記固定孔を有する場合において、前記固定リングの前記鍔状部の軸方向の厚さと同一の厚さに形成されたかさ上げ部材が、前記固定孔を取り囲む外縁位置に固定されていること
を特徴とする請求項７記載の固定用プレート。
【請求項９】
前記主電磁弁が固定される前面と逆側の裏面において、板面と直交する方向に突設された回り止め部材を有すること
を特徴とする請求項７または請求項８記載の固定用プレート。
【請求項１０】
設置状態において下辺となる位置に、前記本体部の止水栓の開閉を行う開閉工具が進入可能な溝幅に形成された溝部を有すること
を特徴とする請求項７〜９のいずれか一項に記載の固定用プレート。
【請求項１１】
設置状態において右上端部となる位置に、斜めに切欠かれた第１切欠き部を有すること
を特徴とする請求項７〜１０のいずれか一項に記載の固定用プレート。
【請求項１２】
前記本体部がストレーナ収納室および前記ストレーナ収納室の封止蓋を備える構造の場合において、
設置状態において正面視で前記封止蓋と干渉しない形状で切欠かれた第２切欠き部を有すること
を特徴とする請求項７〜１１のいずれか一項に記載の固定用プレート。
【請求項１３】
請求項２記載の自動洗浄装置の改装方法に用いられる前記固定リングであって、
内周面に、回動工具を係止させる係止溝を有すること
を特徴とする固定リング。
【請求項１４】
前記第１端部側の内径が相対的に大きい薄肉部と、前記第２端部側の内径が相対的に小さい厚肉部と、を有すること
を特徴とする請求項１３記載の固定リング。
【請求項１５】
前記鍔状部の端面の内周部が角取された傾斜面に形成されていること
を特徴とする請求項１３または請求項１４記載の固定リング。
【請求項１６】
前記鍔状部に隣接する位置に、前記雄ネジ部よりも大きい外径に形成されて、前記挿通孔に隙間無く嵌合される大径部を有すること
を特徴とする請求項１３〜１５のいずれか一項に記載の固定リング。
【請求項１７】
請求項３記載の自動洗浄装置の改装方法に用いられる前記固定用プレートであって、
前記シリンダ室の前記突起部に外嵌可能な内径を有する嵌合孔が形成された固定部と、
前記固定部から分岐して前記シリンダ室の開口端部を径方向に挟み込む配置でそれぞれ延設された第１腕部および第２腕部と、を備え、
前記第１腕部および前記第２腕部は、前記シリンダ室に挿入された状態の前記主電磁弁を固定する固定孔もしくは固定ネジを有すること
を特徴とする固定用プレート。
【請求項１８】
請求項４記載の自動洗浄装置の改装方法に用いられる前記固定用プレートであって、
前記シリンダ室の外壁に突設されて内部に前記第１開口孔が形成された突起部を、正面側から背面側へ包み込む配置で係止可能に折曲もしくは湾曲形成された前記鉤状部を備えること
を特徴とする固定用プレート。
【請求項１９】
請求項５記載の自動洗浄装置の改装方法に用いられる前記延長枠部材であって、
前記係合部は、一対の固定板が左右もしくは上下の位置に二組設けられており、
一対の前記固定板は一対の先端部が正面視で前記枠部材の内周と重なる位置と、重ならない位置との間で回動可能に配設されると共に、一対の前記先端部が常時は前記枠部材の内周と重なる位置となるように付勢する付勢部材が一対の後端部同士を繋いで設けられていること
を特徴とする延長枠部材。
【請求項２０】
請求項６記載の自動洗浄装置の改装方法に用いられる前記前面プレートであって、
前記枠部材に対して所定の固定状態となるときに正面視において前記主電磁弁と対応する位置に、一端が前記シリンダ室に挿入された状態の前記主電磁弁の他端が壁面から壁外へ突出する寸法よりも同方向の寸法が大きく形成され、前記主電磁弁の他端が収容される空間を有する前記ドーム部が設けられていること
を特徴とする前面プレート。
【手続補正２】
【補正対象書類名】明細書
【補正対象項目名】００１２
【補正方法】変更
【補正の内容】
【００１２】
開示の改装方法は、取水口から送水口へ連通して洗浄水を通流させる主流路と、前記主流路の開閉を行う差圧移動式のピストンバルブと、一端が前記ピストンバルブの移動空間となるシリンダ室の外壁に開口形成された第１開口孔を介して前記シリンダ室と連通すると共に他端が前記主流路の前記ピストンバルブが配設される位置よりも下流側となる位置に開口形成された第２開口孔を介して前記主流路と連通する副流路と、前記副流路を開閉する副電磁弁と、が設けられた本体部、ならびに、使用者を感知するセンサおよび前記センサの感知信号により前記副電磁弁の駆動を行う駆動制御部、を壁内もしくは壁近傍部に備えて、前記副電磁弁の駆動により前記副流路が開通することで前記シリンダ室内が減圧されて前記ピストンバルブが移動して前記主流路が開通することによって前記洗浄水が通流して便器の自動洗浄を行う自動洗浄装置の改装方法であって、前記センサおよび前記駆動制御部を取外す工程と、前記本体部から前記シリンダ室の開口端部を密閉している密閉蓋を取外した後、前記シリンダ室から前記ピストンバルブを取外す工程と、前記本体部から前記副流路の全部もしくは一部および前記副電磁弁を取外して、前記第２開口孔を露出させる工程と、前記第２開口孔に止水プラグを取付けて、前記第２開口孔の封止を行う工程と、固定用プレートを前記本体部に固定する工程と、前記主流路の開閉を行う主電磁弁を前記シリンダ室に挿入して、前記主電磁弁を前記固定用プレートに固定する工程と、前記主電磁弁によって、または、前記主電磁弁および封止部材によって、前記シリンダ室の開口端部および前記第１開口孔を封止する工程と、を備え、前記主流路の開閉を行う機構を、前記差圧移動式のピストンバルブから前記主電磁弁に切替えることを特徴とする。
【手続補正３】
【補正対象書類名】明細書
【補正対象項目名】００３４
【補正方法】変更
【補正の内容】
【００３４】
ここで、当該第３前面プレート７７の構成例を図４０に示す。具体的には、枠部材１８に対して所定の固定状態（図４１に示す状態である）となるときに正面視において主電磁弁７０と対応する位置に、シリンダ室３１に所定に挿入された状態の主電磁弁７０の他端７０ａが壁面ＷＬから壁外へ突出する寸法よりも、同方向に突出する寸法が大きく形成され、且つ幅方向においても他端７０ａと当接しない寸法に形成されて、当該主電磁弁７０の他端７０ａが干渉することなく内部に収容可能となる空間を有するドーム部７８が設けられている。一例として、ドーム部７８は、頂面を有する角錐台形状に形成されているが、これに限定されるものではなく、円錐台形状に形成される構成としてもよい。いずれの場合にも、周面（傾斜面）７８ａの傾斜角度は第３前面プレート７７の板面に対して４５［°］以下となるように構成することが好適である。このように緩やかな傾斜面とすることによって、使用者によるドーム部７８の把持を困難とし、第３前面プレート７７が取外されてしまう等のいたずらを防ぐことができる。
【手続補正４】
【補正対象書類名】明細書
【補正対象項目名】００５０
【補正方法】変更
【補正の内容】
【００５０】
先ず、本実施形態に係る固定用プレート９０（第一例：９０Ａ）の斜視図（概略図）を図２１に示す。この固定用プレート９０（９０Ａ）は、金属材料からなる板材を用いて形成されており、シリンダ室３１の突起部３９に外嵌可能な内径を有する嵌合孔９０ａが形成された固定部９２と、固定部９２から分岐しつつ折曲（湾曲）し、シリンダ室３１の開口端部３１ａを正面視で径方向に挟み込む配置でそれぞれ延設された第１腕部９４および第２腕部９６とを備えている。さらに、第１腕部９４および第２腕部９６には、シリンダ室３１に挿入された状態の主電磁弁７０を固定する固定孔９０ｂが板面を貫通して設けられている。なお、固定孔９０ｂの数は適宜設定すればよい。また、変形例として、固定孔の代わりに固定ネジを設けて当該固定ネジに主電磁弁７０を固定する構成としてもよい（不図示）。
【手続補正５】
【補正対象書類名】明細書
【補正対象項目名】００６７
【補正方法】変更
【補正の内容】
【００６７】
本実施形態において、工程Ｓ６に続く後の工程は、前述の第一の実施形態と基本的に同様である。ただし、主電磁弁７０をシリンダ室３１に挿入させて該シリンダ室３１の開口端部３１ａおよび第１開口孔１３を封止した状態で、主電磁弁７０を固定用プレート９０に固定する工程Ｓ７に関して、第一の実施形態では、主電磁弁７０の一端（先端）７０ｃを固定用プレート９０の第１腕部９４と第２腕部９６との間を通過させてシリンダ室３１に挿入させる手順であった。一方、本実施形態では、主電磁弁７０の一端（先端）７０ｃを、固定用プレート９０の挿通孔９０ｅに挿通された状態の固定リング５２の中空部５２ｈを通過させてシリンダ室３１に挿入させる手順となる。